(57)【要約】【課題】ユーザに対し、撮影画像に適用された機能を通知する。【解決手段】撮影時に適用する機能を、機能を適用するか否かも含めて、自動的に判定する自動設定判定部（３２）と、適用すると判定した機能を適用して撮影処理を行う撮影制御部（２３）と、撮影された画像が上記機能を適用して撮影されたものであることを示す機能情報を、上記画像とともに通知する表示制御部（２２）と、を備えている。【選択図】図１
2015216415.tif 000002
【特許請求の範囲】
【請求項１】
撮影時のパラメータを決定する機能を適用して撮影処理を行うための情報処理装置であって、
１または複数の機能のうち、撮影時に適用する機能を、機能を適用するか否かも含めて、自動的に判定する機能判定手段と、
上記機能判定手段が適用すると判定した機能を適用して撮影処理を行う撮影処理手段と、
上記撮影処理手段によって撮影された画像が上記機能を適用して撮影されたものであることを示す機能情報を、上記画像とともに通知する適用機能通知手段と、
を備えていることを特徴とする情報処理装置。
【請求項２】
上記適用機能通知手段は、上記機能情報とともに、該機能情報が示す機能を適用せずに撮影した未適用画像の確認要否を求める未適用画像確認要否情報を表示し、
上記未適用画像確認要否情報に対し、未適用画像確認要の回答を受け付けた場合、上記未適用画像を表示させる表示制御手段を備えていることを特徴とする請求項１に記載の情報処理装置。
【請求項３】
上記画像および上記機能情報とともに、上記機能を適用せずに撮影部で撮影中の画像を表示部に表示させる表示制御手段を備えていることを特徴とする請求項１に記載の情報処理装置。
【請求項４】
請求項１〜３のいずれか１項に記載の情報処理装置を備えた電子機器。
【請求項５】
請求項１〜３のいずれか１項に記載の情報処理装置としてコンピュータを機能させるための制御プログラムであって、コンピュータを上記各手段として機能させるための制御プログラム。
【発明の詳細な説明】
【技術分野】
【０００１】
本発明は、撮影処理手段を備えた情報処理装置等に関する。
【背景技術】
【０００２】
カメラによる撮影時には、ホワイトバランス、露出等、様々な設定が必要となる。デジタルカメラでは、このような設定をシーンに合わせて自動的に行うものもある。また、ＨＤＲ（high dynamic range）合成と呼ばれる、元画像のコントラストを落とした画像を生成する技術が知られている。風景などの明暗差が大きい場合、通常の撮影では、明るい部分は白く飛び、暗い部分は黒く潰れてしまうが、ＨＤＲ合成を用いることにより、白飛びや黒潰れを抑制することができる。
【０００３】
特許文献１には、ＨＤＲの設定を自動的に行う装置が記載されている。
【先行技術文献】
【特許文献】
【０００４】
【特許文献１】特開２０１３−１６２１９０号公報（２０１３年８月１９日公開）
【発明の概要】
【発明が解決しようとする課題】
【０００５】
しかしながら、上記特許文献１に記載された従来技術は、ユーザがＨＤＲの適用の有無を認識することができないため、撮影画像がユーザの意図通りではなかった場合に、原因がどこにあるのかユーザが認識しにくいという問題がある。
【０００６】
例えば、ＨＤＲが適用されていない撮影画像のため、ユーザの意図通りとはならなかった場合でも、ＨＤＲの適用の有無が認識できないと、ユーザは、ＨＤＲが適用された結果、そのような撮影画像になったと勘違いする可能性がある。
【０００７】
本発明は、上記問題に鑑みてなされたものであり、その目的は、ユーザに対し、撮影画像に適用された機能を通知可能な情報処理装置等を実現することにある。
【課題を解決するための手段】
【０００８】
上記の課題を解決するために、本発明の一態様に係る情報処理装置は、撮影時のパラメータを決定する機能を適用して撮影処理を行うための情報処理装置であって、１または複数の機能のうち、撮影時に適用する機能を、機能を適用するか否かも含めて、自動的に判定する機能判定手段と、上記機能判定手段が適用すると判定した機能を適用して撮影処理を行う撮影処理手段と、上記撮影処理手段によって撮影された画像が上記機能を適用して撮影されたものであることを示す機能情報を、上記画像とともに通知する適用機能通知手段と、を備えている。
【発明の効果】
【０００９】
本発明の一態様によれば、撮影された画像が、どの機能が適用されて撮影されたものなのか、或いは機能が適用されずに撮影されたものなのかをユーザに通知することができる。これにより、ユーザは、撮影画像が納得のいかないものであるときに、当該撮影画像が、機能が適用されなかったために、そうなったのか、それとも機能は適用されたが、そのような画像となったのかを認識することができるという効果を奏する。よって、機能が適用されていなかった場合に、設定を切り替えて再撮影を行うきっかけとすることができるという効果を奏する。
【図面の簡単な説明】
【００１０】
【図１】本発明の実施形態１に係る撮影装置の要部構成を示すブロック図である。
【図２】上記撮影装置における設定処理の流れを示すフローチャートである。
【図３】上記撮影装置における通知処理の流れを示すフローチャートである。
【図４】上記撮影装置における設定処理時の画面例を示す図であり、(ａ)は設定時の例を示し、(ｂ)はＨＤＲオートが選択された例を示し、(ｃ)はＨＤＲオンが選択された例を示し、(ｄ)はＨＤＲオフが選択された例を示す図である。
【図５】上記撮影装置において、撮影後の表示例を示す図であり、(ａ)は撮影画像を示し、(ｂ)は適用された機能を通知する例を示す図である。
【図６】上記撮影装置における、他の表示例を示す図であり、(ａ)は撮影後の例を示し、(ｂ)は撮影画像とプレビュー画像とが表示されている例を示し、(ｃ)は撮影画像とプレビュー画像とに加え、適用された機能を通知する例を示す図である。
【発明を実施するための形態】
【００１１】
〔実施形態１〕
〔概要〕
以下、本発明の実施形態について、図１〜５を参照して、詳細に説明する。本実施形態に係る撮影装置（電子機器）１は、ＨＤＲ（high dynamic range）機能の適用を自動に行うことができるとともに、適用した場合にその旨を示す通知（ＨＤＲ機能適用通知）を行うものである。これにより、ユーザは、撮影画像がＨＤＲ機能が適用されたものかを認識することができ、撮影画像が意図通りのものでなかった場合に、その原因を認識することができる。
【００１２】
なお、ＨＤＲとは、露出（パラメータ）を変えて撮影した複数枚の画像を合成することで白飛びや黒つぶれの少ない幅広いダイナミックレンジを持つ画像（ハイダイナミックレンジイメージ）を生成し、生成した画像をトーンマッピングによりダイナミックレンジを縮小して通常のモニタで表示可能な標準的なダイナミックレンジを持つ画像（ＳＤＲ：standard dynamic range もしくはＬＤＲ：low dynamic range ）にする技法である。
【００１３】
〔撮影装置１の構成〕
図１を参照して、撮影装置１の要部構成について説明する。図１に示すように、撮影装置１は、制御部（情報処理装置）１０、操作部１１、表示部１２、撮影部１３、および記憶部１４を含む構成である。また、制御部１０には受付部２１、表示制御部（適用機能通知手段、表示制御手段）２２、撮影制御部（撮影処理手段）２３、および撮影条件設定部２４が含まれている。さらに、撮影条件設定部２４には、ＨＤＲ設定部３１および自動設定判定部（機能判定手段）３２が含まれている。
【００１４】
操作部１１は、撮影装置１に対する操作を受け付けるものである。操作部１１が受け付ける操作としては、シャッターボタンの押下、ＨＤＲ設定画面の表示、ＨＤＲ設定選択等が挙げられる。操作部１１としては、後述する表示部１２とともの構成されたタッチパネルであってもよいし、キーボートとマウスによって構成されていてもよい。
【００１５】
表示部１２は、後述する撮影部１３によって撮影された画像や、各種設定値の表示、ＨＤＲ設定画面の表示等を行う。表示部１２としては、情報の表示が可能なものであればどのような装置によって実現されてもよく、具体的な例としては、液晶ディスプレイ、有機ＥＬ（Electro Luminescence）ディスプレイ、プラズマディスプレイが挙げられる。
【００１６】
撮影部１３は、内部に例えばレンズ群、絞り、撮像素子などを備えたデジタルカメラを搭載している。撮像素子の例としては、ＣＣＤ（charge coupled device）、およびＣＭＯＳ（Complementary Metal-oxide Semiconductor）イメージセンサが挙げられる。撮影部１３は、被写体の撮影を行って撮影画像を取得し、撮影画像データに変換して撮影制御部２３に送信する。
【００１７】
記憶部１４は、設定条件４１を含む各種情報を記憶するものであり、フラッシュメモリ、ＲＯＭ（Read Only Memory）などの不揮発性の記憶装置と、ＲＡＭ（Random Access Memory）などの揮発性の記憶装置とによって構成される。不揮発性の記憶装置に記憶される内容としては、各種プログラム、各種動作設定値、各種データなどが挙げられる。一方、揮発性の記憶装置に記憶される内容としては、作業用ファイル、テンポラリファイルなどが挙げられる。なお、設定条件４１は、撮影条件設定部２４が撮影条件を設定する場合に用いるデータである。
【００１８】
制御部１０は、撮影装置１における撮影処理、ＨＤＲ機能適用通知処理を含む各種処理を実行するものである。受付部２１は、操作部１１が受け付けた内容を操作情報として撮影条件設定部２４に通知する。例えば、撮影条件の設定（ＨＤＲオン、ＨＤＲオート、ＨＤＲオフの設定）を受け付けた場合は、その内容を撮影条件設定部２４に通知する。
【００１９】
表示制御部２２は、撮影条件設定部２４から通知された画像データを表示部１２に表示させたり、撮影条件設定部２４から通知された撮影条件を設定するために必要な情報（例えば、撮影条件を選択するための画面データ）を表示部１２に表示する。また、撮影制御部２３から送信された撮影画像、および該撮影画像を撮影したときのＨＤＲ機能適用の有無の情報を用いて、表示部１２に撮影画像およびＨＤＲ機能適用通知を表示させる。
【００２０】
撮影制御部２３は、撮影部１３が撮影した撮影画像の画像データを撮影条件設定部２４に送信する。また、撮影制御部２３は、撮影条件設定部２４によって設定された撮影条件を示す設定値情報（ＨＤＲの設定）を取得し、撮影部１３へ通知する。また、撮影制御部２３は、撮影画像および該撮影画像の撮影時にＨＤＲが適用されたか否かを示す情報を表示制御部２２に送信する。
【００２１】
撮影条件設定部２４は、撮影部１３による撮影の撮影条件を設定する。ＨＤＲ設定部３１は、受付部２１から通知された撮影条件の設定内容により、撮影条件を、ＨＤＲオン、ＨＤＲオート、ＨＤＲオフのいずれかに設定する。ＨＤＲオンとは、ＨＤＲ機能を常に実行する撮影条件である。ＨＤＲオフとは、ＨＤＲ機能を常に実行しない撮影条件である。ＨＤＲオートとは、ＨＤＲ機能を実行するか否かを自動的に判断する撮影条件である。
【００２２】
自動設定判定部３２は、ＨＤＲ機能を実行するか否かを判定し、実行する場合はＨＤＲ機能を実行するための設定値を、実行しない場合は、予め設定されている（あるいはユーザによって手動で設定された）設定値を撮影制御部２３に通知する。なお、自動設定判定部３２は、ＨＤＲ機能を適用するか否かを、撮影制御部２３から取得した画像データにおいて明暗差が所定値を超えているか否かによって判定する。
【００２３】
〔撮影装置１における処理の流れ〕
〔設定処理〕
まず、撮影装置１における「ＨＤＲオート」に設定されているときのＨＤＲの設定処理について図２、図４を参照して説明する。図２は、撮影装置１における、「ＨＤＲオート」に設定されているときのＨＤＲ設定処理の流れを示すフローチャートであり、図４はＨＤＲ設定処理における画面例を示す図である。
【００２４】
図１に示すように、操作部１１を介して受付部２１がＨＤＲの設定変更指示を受け付けると（Ｓ１）、撮影条件設定部２４は、ＨＤＲ設定を選択するための画面データ（選択画面）を含む設定情報を表示制御部２２に通知する。そして、表示制御部２２は、通知された画面データを表示部１２に表示する（Ｓ２）。このときの画面例を図４（ａ）に示す。図４（ａ）では、現在の設定を示す現在設定欄５１に「ＨＤＲオート」と表示され、設定選択欄５２に選択可能な設定（ＨＤＲオン、ＨＤＲオート、ＨＤＲオフ）が表示されている。また、ボタン５３は、シャッターボタンを示している。
【００２５】
表示部１２に表示されている選択画面からいずれかの選択を、操作部１１を介して受付部２１が受け付けると（Ｓ３）、撮影条件設定部２４は、選択された設定が、「ＨＤＲオート」であるか否かを判定する（Ｓ４）。そして、ＨＤＲオートであれば（Ｓ４でＹＥＳ）、撮影条件設定部２４は、ＨＤＲ設定部３１によってＨＤＲオートの設定を行うとともに、撮影制御部２３にＨＤＲオートが設定されたことを通知する（Ｓ５）。一方、ＨＤＲオートでなければ（Ｓ４でＮＯ）、撮影条件設定部２４は、ＨＤＲ設定部３１によって設定されたＨＤＲ設定（ＨＤＲオンまたはＨＤＲオフ）にＨＤＲの設定を行うとともに、設定値を撮影制御部２３に通知する。なお、通知する設定値は、デフォルトの値であってもよいし、ユーザによって設定された値であってもよい。
【００２６】
なお、ＨＤＲオートに設定された場合は、現在設定欄５１に「ＨＤＲオート」と表示され（図４（ｂ））、ＨＤＲオンに設定された場合は、現在設定欄５１に「ＨＤＲオン」と表示され（図４（ｃ））、ＨＤＲオフに設定された場合は、現在設定欄５１に「ＨＤＲオフ」と表示され（図４（ｄ））。以上が、ＨＤＲ設定処理の流れである。
【００２７】
〔ＨＤＲ機能適用通知処理〕
次に、図３、図５を参照して、ＨＤＲ機能適用通知処理の流れを説明する。図３は、ＨＤＲ機能適用通知処理の流れを示すフローチャートであり、図５は、ＨＤＲ機能適用通知処理の画面例を示す図である。
【００２８】
まず、撮影部１３を介して撮影制御部２３は、撮影している画像データを取得する（Ｓ１１）。そして、取得した画像データを撮影条件設定部２４に送信する。撮影条件設定部２４は、送信された画像データから撮影モードを判定し、判定結果を撮影制御部２３に通知するとともに、画像データを表示制御部２２に送信する。表示制御部２２は、送信された画像データをプレビュー画像として表示部１２に表示させる（Ｓ１３）。なお、ここで判定される撮影モードとは、シーンモード（ポートレートモード、風景モード、夜景モード、マクロモード、スポーツモード等）のことである。なお、これらの撮影モードの判定は公知の技術で可能であるので、その説明は省略する。
【００２９】
次に、撮影条件設定部２４の自動設定判定部３２は、取得した画像データの明暗差が所定値以上であるか否かを判定する（Ｓ１４）。
【００３０】
取得した画像データの明暗差が所定値以上の場合（Ｓ１４でＹＥＳ）、ＨＤＲ設定部３１は、ＨＤＲ機能をオンに設定する（Ｓ１５）。また、取得した画像データの明暗差が所定値未満の場合（Ｓ１４でＮＯ）、ＨＤＲ設定部３１は、ＨＤＲ機能をオフに設定する（Ｓ１６）。そして、受付部２１が操作部１１を介してシャッター操作を受け付けると（Ｓ１７でＹＥＳ）、撮影制御部２３は、ＨＤＲ設定部３１によって設定された機能を適用して、撮影部１３を介して撮影画像を取得する（Ｓ１８）。このとき、表示部１２に表示される撮影画像の例を図５（ａ）に示す。図５（ａ）に示すように、表示部１２には撮影画像が表示されるとともに、現在設定欄５１に「ＨＤＲオート」であることが表示されている。そして、撮影制御部２３は、撮影画像とともに、ＨＤＲ機能適用の有無を示す情報（機能情報）を表示制御部２２に送信する。撮影画像がＨＤＲオンにより撮影されている場合（Ｓ１９でＹＥＳ）、表示制御部２２は、表示部１２にＨＤＲ機能が適用されて撮影された画像であることを示す情報（ＨＤＲ機能適用通知）を表示する（Ｓ２０）。図５（ｂ）に、ＨＤＲ機能が適用されて撮影された画像であることを示す情報を表示する画面例を示す。図５（ｂ）では、「ＨＤＲで撮影しました」という文言が表示領域６１に表示されている。なお、ＨＤＲ機能が適用されて撮影された画像であることを示す情報は、文言での表示限られるものではなく、音声で行ってもよいし、ＬＥＤ等を用いて行ってもよい。
【００３１】
〔実施形態２〕
本発明の他の実施形態について、図６に基づいて説明すれば、以下のとおりである。なお、説明の便宜上、前記実施形態にて説明した部材と同じ機能を有する部材については、同じ符号を付記し、その説明を省略する。
【００３２】
本実施形態において、上記実施形態と異なるのは、撮影後の表示である。本実施形態では、撮影後、上記実施形態と同様に撮影画像を表示するのみではなく、ＨＤＲ機能を適用せずに、現在、撮影部１３にて撮影している画像（いわゆるプレビュー画像）を表示する（図６（ｂ））。そして、撮影画像がＨＤＲ機能を適用して撮影されたものである場合、その旨を示す表示を行う（図６（ｃ））。図６（ｃ）に示す画面例では、表示部１２の表示領域７１に撮影画像が表示されるとともに、画面全体にプレビュー画像が表示され、表示領域６１に、表示領域７１に表示されている撮影画像が、ＨＤＲ機能を適用して撮影されたものであることを示す文言が表示されている。
【００３３】
これにより、ユーザに対し、ＨＤＲ機能が適用された撮影画像と、ＨＤＲ機能を適用しなかった場合の撮影画像（未適用画像）を提示することができるので、ＨＤＲ機能を適用しない方が好ましいととユーザが判断した場合に、取り直しのきっかけとすることができる。
【００３４】
なお、本実施形態では、撮影画像およびプレビュー画像とともにＨＤＲ機能適用通知を行う構成としたが、これに限られず、例えば、撮影画像およびＨＤＲ機能適用通知のみを行うとともに、「ＨＤＲ機能を適用しなかった場合の画像を確認しますか」というような文言（未適用画像確認要否情報）を表示し、「はい」（未適用画像確認要）を選択された場合に、ＨＤＲ機能を適用しない画像を表示する構成であってもよい。
【００３５】
〔付記事項〕
また、本実施形態では、ＨＤＲ機能を適用した場合のみ、その旨を通知する構成を記載しているが、ＨＤＲ機能適用の有無の両方を通知する構成であってもよい。
【００３６】
また、上記実施形態では、撮影後にＨＤＲ機能適用通知を行う構成としたが、これに限られるものではない。シャッターボタン押下を受け付け後、自動設定判定部３２で判定したＨＤＲの適用の有無を通知し、確認後に撮影処理を実行する構成であってもよい。
【００３７】
また、ＨＤＲ機能適用通知とともに、異なるモードで撮影することを確認する文言（例えば「違うモードで撮影しますか」）を表示してモード設定機能へ誘導してもよい。これにより、ユーザにモードを指定して撮影させることを促すことができる。
【００３８】
さらに、通知する情報はＨＤＲ機能に限られるものではなく、上述したシーンモードを通知する構成であってもよい。
【００３９】
また、上記実施形態では、撮影画像が静止画の場合を説明したが、これに限られるものではない。撮影画像が動画であってもよく、動画の場合、撮影中にＨＤＲ機能適用通知を行ってもよいし、撮影終了直後に行ってもよい。
【００４０】
〔実施形態３：ソフトウェアによる実現例〕
撮影装置１の制御ブロック（特に受付部２１、表示制御部２２、撮影制御部２３、および撮影条件設定部２４（ＨＤＲ設定部３１、自動設定判定部３２））は、集積回路（ＩＣチップ）等に形成された論理回路（ハードウェア）によって実現してもよいし、ＣＰＵ（Central Processing Unit）を用いてソフトウェアによって実現してもよい。
【００４１】
後者の場合、撮影装置１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００４２】
〔まとめ〕
本発明の態様１に係る情報処理装置（制御部１０）は、撮影時のパラメータを決定する機能を適用して撮影処理を行うための情報処理装置であって、１または複数の機能のうち、撮影時に適用する機能を、機能を適用するか否かも含めて、自動的に判定する機能判定手段（自動設定判定部３２）と、上記機能判定手段が適用すると判定した機能を適用して撮影処理を行う撮影処理手段（撮影制御部２３）と、上記撮影処理手段によって撮影された画像が上記機能を適用して撮影されたものであることを示す機能情報を、上記画像とともに通知する適用機能通知手段（表示制御部２２）と、を備えている。
【００４３】
上記の構成によれば、撮影された画像が、どの機能が適用されて撮影されたものなのか、或いは機能が適用されずに撮影されたものなのかをユーザに通知することができる。これにより、ユーザは、撮影画像が納得のいかないものであるときに、当該撮影画像が、機能が適用されなかったために、そうなったのか、それとも機能は適用されたが、そのような画像となったのかを認識することができる。よって、機能が適用されていなかった場合に、設定を切り替えて再撮影を行うきっかけとすることができる。
【００４４】
本発明の態様２に係る情報処理装置は、上記態様１において、上記適用機能通知手段は、上記機能情報とともに、該機能情報が示す機能を適用せずに撮影した未適用画像の確認要否を求める未適用画像確認要否情報を表示し、上記未適用画像確認要否情報に対し、未適用画像確認要の回答を受け付けた場合、上記未適用画像を表示させる表示制御手段を備えているものであってもよい。
【００４５】
上記の構成によれば、未適用画像を求められた場合に、その表示を行うことができる。これにより、機能を適用した場合の画像と適用しなかった場合の画像の両方をユーザに提示することができる。
【００４６】
本発明の態様３に係る情報処理装置は、上記態様１において、上記画像および上記機能情報とともに、上記機能を適用せずに撮影部で撮影中の画像を表示部に表示させる表示制御手段を備えているものであってもよい。
【００４７】
すなわち、上記機能の適用が自動的に判定される場合であっても、撮影部で撮影中の画像（いわゆるプレビュー画像）を、上記機能を適用せずに表示部に表示させてもよい。
【００４８】
上記の構成によれば、撮影操作を行う際に意図せず機能の有効無効が切り替わることで、被写体を確認し辛くなることを防ぐことができる。
【００４９】
本発明の態様４に係る情報処理装置は、上記態様１〜３のいずれかにおいて、上記機能は、ＨＤＲ（high dynamic range）機能であってもよい。
【００５０】
上記の構成によれば、ＨＤＲ機能が適用された撮影された画像であるか否かをユーザに提示することができる。
【００５１】
本発明の態様５に係る電子機器は、上記態様１〜４のいずれかに記載の情報処理装置を備えたものである。これにより、上記態様１に係る情報処理装置と同様の効果を奏することができる。
【００５２】
本発明の各態様に係る情報処理装置は、コンピュータによって実現してもよく、この場合には、コンピュータを上記情報処理装置が備える各手段として動作させることにより上記情報処理装置をコンピュータにて実現させる情報処理装置の制御プログラム、およびそれを記録したコンピュータ読み取り可能な記録媒体も、本発明の範疇に入る。
【００５３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００５４】
本発明は、撮影時にパラメータを自動的に設定する機能を有する撮影装置等に好適である。
【符号の説明】
【００５５】
１  撮影装置（電子機器）
１０  制御部（情報処理装置）
１１  操作部
１２  表示部
１３  撮影部
１４  記憶部
２１  受付部
２２  表示制御部（適用機能通知手段、表示制御手段）
２３  撮影制御部（撮影処理手段）
２４  撮影条件設定部
３１  ＨＤＲ設定部
３２  自動設定判定部（機能判定手段）
【図１】
2015216415.tif 000003
【図２】
2015216415.tif 000004
【図３】
2015216415.tif 000005
【図４】
2015216415.tif 000006
【図５】
2015216415.tif 000007
【図６】
2015216415.tif 000008